(57)【要約】【課題】  ２つのカバー部材が装着されるスピニングリールにおいて、安価な構成でカバー部材を装着できるようにする。【解決手段】  リールボディ及び竿取付脚部の後部には、後方から第１カバー部材７０及び第２カバー部材８０が装着されている。第１カバー部材７０は、上部に形成された第１孔部７４と、下部に形成され前方から第１係止部に係止される第１被係止部７１と、上部に形成された第２被係止部７２と、下部に形成された第３係止部７３とを有している。第２カバー部材８０は、上部に形成された第３孔部８４と、上部に形成され前方からねじ止めされるボス部８１と、上部に形成され第２被係止部７２を後方から係止する第２係止部８２と、下部に形成され第３係止部７３に前方から係止される第３被係止部８３とを有している。【選択図】      図３
2005229924.tif 000002
【特許請求の範囲】
【請求項１】
釣竿に装着され、前方に釣り糸を繰り出し可能なスピニングリールのリール本体であって、
内部に各種の機構が装着され、下部に第１係止部を有するリールボディと、
前記釣竿に装着され、前記リールボディから斜め上前方に一体的に延びるＴ字状の竿取付脚部と、
前記竿取付脚部の後部から前記リールボディの後部を覆うように装着され、後部上方に形成された第１孔部と、後部下方に形成され前記第１係止部に前方から係止される第１被係止部と、前記第１孔部に形成された第２被係止部と、前記第１孔部の前記第２被係止部と異なる位置に形成された第３係止部とを有する第１カバー部材と、
前記第１カバー部材の前記第１孔部を覆うように装着され、前方から前記第１孔部を通して前記竿取付脚部の前記リールボディとの連設部分に固定される固定部と、前記固定部の近傍に形成され前記第２被係止部を後方から係止する第２係止部と、前記固定部と離反した位置に形成され前記第３係止部に前方から係止される第３被係止部とを有する第２カバー部材と、
を備えたスピニングリールのリール本体。
【請求項２】
前記竿取付脚部は、前記リールボディとの連設部分に前記第１孔部と連通する第２孔部をさらに有している、請求項１に記載のスピニングリールのリール本体。
【請求項３】
前記第２カバー部材は、前記第２孔部と連通する第３孔部をさらに有している、請求項２に記載のスピニングリールのリール本体。
【請求項４】
前記リールボディは、前後に貫通する第４孔部をさらに有し、
前記第１カバー部材は、後部下方に形成され、前記第４孔部と連通する第５孔部をさらに有している、請求項１から３のいずれか１項に記載のスピニングリールのリール本体。
【請求項５】
前記第２係止部は、一部が切り欠かれた凹状部であり、
前記第２被係止部は、前記第１孔部の内側に突出し前記凹状部に係合する凸状部である、請求項１から４のいずれか１項に記載のスピニングリールのリール本体。
【請求項６】
前記第３係止部は、前記第１孔部の一部が切り欠かれた凹状部であり、
前記第３被係止部は、外側に突出し前記凹状部に係合する凸状部である、請求項１から５のいずれか１項に記載のスピニングリールのリール本体。
【請求項７】
前記固定部は、前方から取り付けられるねじ部材が螺合するボス部である、請求項１から６のいずれか１項に記載のスピニングリールのリール本体。
【請求項８】
前記リールボディは、内部に各種の機構が装着される本体部材と、前記本体部材に装着される蓋部材とをさらに備えている、請求項１から７のいずれか１項に記載のスピニングリールのリール本体。
【請求項９】
前記竿取付脚部は、前記本体部材と一体成形されている、請求項８に記載のスピニングリールのリール本体。
【請求項１０】
前記竿取付脚部は、前記蓋部材と一体成形されている、請求項８に記載のスピニングリールのリール本体。
【発明の詳細な説明】
【技術分野】
【０００１】
本発明は、リール本体、特に、釣竿に装着され、前方に釣り糸を繰り出し可能なスピニングリールのリール本体に関する。
【背景技術】
【０００２】
スピニングリールは、一般に、釣竿に装着されるリール本体と、リール本体に回転自在に取り付けられたハンドルと、リール本体に回転自在に装着されたロータと、ロータの前方でリール本体に前後移動自在に装着され、ロータによって案内された釣り糸が外周に巻き付けられるスプールとを有している。
【０００３】
この種のリール本体は、釣竿に装着されるＴ字状の竿取付脚部と、竿取付脚部と一体成形され、内部に各種の機構が収納されるリールボディとを備えている。リールボディは、側部が開口する収納空間を内部に有する本体部材と、本体部材の開口を覆うように着脱自在に本体部材に装着された蓋部材とを有している。
【０００４】
このようなリール本体では、竿取付脚部の後部からリールボディの後部を覆うように板状のカバー部材が装着されたものが知られている（たとえば、特許文献１参照）。このようなカバー部材は、たとえば下部に形成された２箇所の係止片をリールボディ後部に装着して浮き止めし、この状態で上部に形成されたボス部にリールボディの前方からねじ部材を装着することにより、リールボディに固定されている。このようなカバー部材を設けることにより、リールボディを保護したり、意匠性を向上させることができる。
【特許文献１】登録実用新案第２５５０４１０号公報
【発明の開示】
【発明が解決しようとする課題】
【０００５】
前記従来のカバー部材が装着されたスピニングリールでは、竿取付脚部及びリールボディの後部が保護されるとともに、意匠性を向上させることができる。さらに、意匠性を向上させるために、竿取付脚部及びリールボディの後部に２つのカバー部材を装着することが考えられる。たとえば、竿取付脚部及びリールボディの後部に第１カバー部材を装着し、第１カバー部材の上部に形成された凹部を閉塞するように第２カバー部材を装着することが考えられる。このように、２つの異なる形状のカバー部材を装着することにより、意匠性をさらに向上できる。
【０００６】
しかし、２つのカバー部材を装着するには、第１カバー部材と第２カバー部材との両方にねじ止め用のボス部や浮き止め用の係止片を形成する必要が生じる。このようにボス部や係止片を複数箇所に形成すると、カバー部材の構造が複雑になるとともに、部品点数の増加により製造コストが増加するおそれが生じる。
【０００７】
本発明の課題は、２つのカバー部材が装着されるスピニングリールにおいて、安価な構成でカバー部材を装着できるようにすることにある。
【課題を解決するための手段】
【０００８】
発明１に係るスピニングリールのリール本体は、釣竿に装着され、前方に釣り糸を繰り出し可能なスピニングリールのリール本体であって、内部に各種の機構が装着され下部に第１係止部を有するリールボディと、釣竿に装着されリールボディから斜め上前方に一体的に延びるＴ字状の竿取付脚部と、竿取付脚部の後部からリールボディの後部を覆うように装着された第１カバー部材と、第１カバー部材に装着された第２カバー部材とを備えている。第１カバー部材は、後部上方に形成された第１孔部と、後部下方に形成され第１係止部に前方から係止される第１被係止部と、第１孔部に形成された第２被係止部と、第１孔部の第２被係止部と異なる位置に形成された第３係止部とを有している。第２カバー部材は、第１カバー部材の第１孔部を覆うように装着され、前方から第１孔部を通して竿取付脚部のリールボディとの連設部分に固定される固定部と、固定部の近傍に形成され第２被係止部を後方から係止する第２係止部と、固定部と離反した位置に形成され第３係止部に前方から係止される第３被係止部とを有している。
【０００９】
このリール本体では、竿取付脚部及びリールボディの後部を覆う第１カバー部材と、第１カバー部材の第１孔部を覆う第２カバー部材との２つのカバー部材が装着されている。これらのカバー部材を装着するには、まず、リールボディ下部の第１係止部に第１カバー部材の第１被係止部を前方から係止する。次に、第１カバー部材の第３係止部に第２カバー部材の第３被係止部を前方から係止し、第２カバー部材上部の第２係止部に第１カバー部材の第２被係止部を後方から係止する。この状態で、第２カバー部材上部の固定部を竿取付脚部のリールボディとの連設部分に前方から固定する。ここでは、第２係止部及び第２被係止部により第１カバー部材を浮き止めし、第３係止部及び第３被係止部により第２カバー部材を浮き止めし、第２カバー部材の固定部により第１カバー部材及び第２カバー部材の２つのカバー部材を固定している。このように、第２カバー部材に固定部を設けることにより、第１カバー部材及び第２カバー部材を浮き止めしながら、第１カバー部材及び第２カバー部材を固定することができる。したがって、第１カバー部材に固定部を設ける必要がないので、安価な構成で２つのカバー部材を装着できる。
【００１０】
発明２に係るリール本体は、発明１のリール本体において、竿取付脚部は、リールボディとの連設部分に第１孔部と連通する第２孔部をさらに有している。この場合、竿取付脚部に第２孔部を形成することにより、意匠性をさらに向上できる。
【００１１】
発明３に係るリール本体は、発明２のリール本体において、第２カバー部材は、第２孔部と連通する第３孔部をさらに有している。この場合、第２カバー部材に第３孔部を形成することにより、意匠性をより向上できる。
【００１２】
発明４に係るリール本体は、発明１から３のいずれかのリール本体において、リールボディは、前後に貫通する第４孔部をさらに有している。第１カバー部材は、後部下方に形成され、第４孔部と連通する第５孔部をさらに有している。この場合、リアドラグ型のスピニングリールにおいても、第４孔部及び第５孔部にリアドラグ機構を装着できる。
【００１３】
発明５に係るリール本体は、発明１から４のいずれかのリール本体において、第２係止部は、一部が切り欠かれた凹状部である。第２被係止部は、第１孔部の内側に突出し凹状部に係合する凸状部である。この場合、凹状部及び凸状部を容易に形成できるので、第２係止部及び第２被係止部の構造が簡素になる。
【００１４】
発明６に係るリール本体は、発明１から５のいずれかのリール本体において、第３係止部は、第１孔部の一部が切り欠かれた凹状部である。第３被係止部は、外側に突出し凹状部に係合する凸状部である。この場合、凹状部及び凸状部を容易に形成できるので、第３係止部及び第３被係止部の構造が簡素になる。
【００１５】
発明７に係るリール本体は、発明１から６のいずれかのリール本体において、固定部は、前方から取り付けられるねじ部材が螺合するボス部である。この場合、たとえば固定部は、前方側に突出し、ねじ部材が螺合する雌ねじが形成されたボス部であるので、第２カバー部材の取り付けが容易になる。
【００１６】
発明８に係るリール本体は、発明１から７のいずれかのリール本体において、リールボディは、内部に各種の機構が装着される本体部材と、本体部材に装着される蓋部材とをさらに備えている。この場合、本体部材及び蓋部材の少なくともいずれかに第１カバー部材を装着することにより、安価な構成で２つのカバー部を装着できる。
【００１７】
発明９に係るリール本体は、発明８のリール本体において、竿取付脚部は、本体部材と一体成形されている。この場合、竿取付脚部と本体部材とが一体成形されているので、竿取付脚部と蓋部材とが一体成形されている場合に比して、蓋部材の構成が簡素になる。
【００１８】
発明１０に係るリール本体は、発明８のリール本体において、竿取付脚部は、蓋部材と一体成形されている。この場合、竿取付脚部と蓋部材とが一体成形されているので、厚肉部分と薄肉部分との混在を少なくして本体部材を薄肉にして精度を高く維持し、取付脚部を厚肉にして強度を維持できるようになる。
【発明の効果】
【００１９】
本発明によれば、第１カバー部材に固定部を設ける必要がないので、安価な構成で２つのカバー部材を装着できる。
【発明を実施するための最良の形態】
【００２０】
本発明の一実施形態を採用したスピニングリールは、フロントドラグ式のスピニングリールであって、図１及び図２に示すように、ハンドル１と、ハンドル１を回転自在に支持し釣竿に装着されるリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、図１及び図２に示すリール本体２の右側に装着されているが、リール本体２の左側にも装着可能である。
【００２１】
リール本体２は、図１及び図２に示すように、内部に各種の機構が装着されるリールボディ２ａと、釣竿に装着されリールボディ２ａから斜め上前方に一体的に延びるＴ字状の竿取付脚部２ｂとを備えている。
【００２２】
リールボディ２ａは、図２に示すように、側部が開口する収納空間を内部に有する本体部材２ｃと、本体部材２ｃの開口を覆うように着脱自在に本体部材２ｃに装着された蓋部材２ｄとを有している。竿取付脚部２ｂは、図１及び図２に示すように、蓋部材２ｄと一体成形された略Ｔ字状の中実の厚肉部材である。竿取付脚部２ｂの先端部分は、前後両側に延びており、図示しない釣竿が装着可能である。
【００２３】
本体部材２ｃは、たとえば金属製又は合成樹脂製の部材であって、図２に示すように、側部に開口が形成され、内部に図示しない収納空間が形成されている。図示しない収納空間には、ロータ３を回転させるための図示しないロータ駆動機構と、スプール４を前後移動させて釣り糸を均一に巻き取るための図示しないオシレーティング機構とが設けられている。蓋部材２ｄは、たとえば金属製または合成樹脂製の部材であって、本体部材２ｃの開口を閉塞するように装着されている。蓋部材２ｄは、上方に延びる竿取付脚部２ｂと一体成形されている。
【００２４】
リールボディ２ａ及び竿取付脚部２ｂの後部には、図１及び図２に示すように、他の部分より凹んだ凹陥部５０が形成されている。リールボディ２ａ下部の凹陥部５０には、一部が切り欠かれた凹状の左右２箇所の第１係止部５１が形成されている。竿取付脚部２ｂのリールボディ２ａとの連設部分の凹陥部５０には、前後に貫通する第２孔部５２が形成されている。凹陥部５０全体には、後方から第１カバー部材７０が装着されており、第１カバー部材７０の上部には、後方から第２カバー部材８０が着脱可能に装着されている。
【００２５】
ロータ３は、図１及び図２に示すように、筒状部３０と、筒状部３０の側方に互いに対向して設けられた第１ロータアーム３１及び第２ロータアーム３２とを有している。筒状部３０と第１ロータアーム３１及び第２ロータアーム３２とは一体成形されている。筒状部３０の前部には、図示しない貫通孔を有する壁部が形成されており、図２に示すように、ピニオンギア１２及びスプール軸１５が貫通している。
【００２６】
第１ロータアーム３１の先端の外周側には、図１及び図２に示すように、第１ベール支持部材４０が揺動自在に装着されている。第１ベール支持部材４０の先端には、図１に示すように、釣り糸をスプール４に案内するためにラインローラ４１が装着されている。また、第２ロータアーム３２の先端の外周側には、第２ベール支持部材４２が揺動自在に装着されている。第１ベール支持部材４０の先端のラインローラ４１と第２ベール支持部材４２との間にはベール４３が設けられている。これらの第１ベール支持部材４０、第２ベール支持部材４２、ラインローラ４１及びベール４３によりベールアーム４４が構成される。
【００２７】
スプール４は、図１及び図２に示すように、ロータ３の第１ロータアーム３１と第２ロータアーム３２との間に配置されており、スプール軸１５の先端に図示しないドラグ機構を介して装着されている。スプール４は、外周に釣り糸が巻き付けられる糸巻胴部４ａと、糸巻胴部４ａの後部に一体で形成されたスカート部４ｂと、糸巻胴部４ａの前部に固定された前フランジ部４ｃとを有している。
【００２８】
第１カバー部材７０及び第２カバー部材８０は、金属製又は合成樹脂製の部材であって、図１及び図２に示すように、皿状に湾曲して形成され、上部に開口を有するカバー部材である。第２カバー部材８０の外形は、第１カバー部材７０の外形より小さくなるように形成されている。
【００２９】
第１カバー部材７０は、図１から図３に示すように、後部上方に形成された第１孔部７４と、後部下方の前側２箇所に突出して形成された第１被係止部７１と、第１孔部７４の上部内側２箇所に突出して形成された第２被係止部７２と、第１孔部７４の下部内側２箇所に凹んで形成された第３係止部７３とを有している。第１被係止部７１は、第１係止部５１に前方から係止されている。第１孔部７４は、第２孔部５２と連通するように設けられている。
【００３０】
第２カバー部材８０は、図１から図３に示すように、後部上方に形成された第３孔部８４と、第３孔部８４上部の周縁部前方側に突出して形成されたボス部８１と、ボス部８１の近傍の第３孔部８４の上部外側２箇所に凹んで形成された第２係止部８２と、ボス部８１と離反した第３孔部８４下部外側２箇所に突出して形成された第３被係止部８３とを有している。ボス部８１は、図１及び図２に示すように、竿取付脚部２ｂのリールボディ２ａとの連設部分に設けられ、前方から第２孔部５２及び第１孔部７４を貫通して装着されるねじ部材６０が取り付けられる。ボス部８１は、前方側に開口する図示しない雌ねじが形成されており、ねじ部材６０の図示しない雄ねじが螺合可能である。第２係止部８２は、第２被係止部７２を後方から係止している。第３被係止部８３は、第３係止部７３に前方から係止されている。第３孔部８４は、第２孔部５２と連通するように形成されている。
【００３１】
このような第１カバー部材７０及び第２カバー部材８０を装着するには、まず、リールボディ２ａ下部の第１係止部５１に第１カバー部材７０の第１被係止部７１を前方から係止する。次に、第１カバー部材７０の第３係止部７３に第２カバー部材８０の第３被係止部８３を前方から係止し、第２カバー部材８０上部の第２係止部８２に第１カバー部材７０の第２被係止部７２を後方から係止する。この状態で、第２カバー部材８０上部のボス部８１を竿取付脚部２ｂのリールボディ２ａとの連設部分に前方からねじ部材６０を装着して固定する。ここでは、第２係止部８２及び第２被係止部７２により第１カバー部材７０を浮き止めし、第３係止部７３及び第３被係止部８３により第２カバー部材８０を浮き止めし、第２カバー部材８０のボス部８１により第１カバー部材７０及び第２カバー部材８０を固定している。このように、第２カバー部材８０にボス部８１を設けることにより、第１カバー部材７０及び第２カバー部材８０を浮き止めしながら、第１カバー部材７０及び第２カバー部材８０を固定することができる。したがって、第１カバー部材７０にボス部を設ける必要がなくなるので、安価な構成で第１カバー部材７０及び第２カバー部材８０を装着することができる。
【００３２】
〔他の実施形態〕
（ａ）  スピニングリールの形態は前記実施形態に限定されるものではなく、ドラグ機構を有するものや、逆転防止機構に代えてブレーキレバーを有する制動機構を装着したものにも本発明を適用できる。また、前記実施形態では、フロントドラグ式のスピニングリールであったが、図５及び図６に示すように、リアドラグ式のスピニングリールであってもよい。
【００３３】
本発明の他の実施形態を採用したスピニングリールは、リアドラグ式のスピニングリールであって、図５及び図６に示すように、ハンドル１０１を回転自在に支持するリール本体１０２と、ロータ１０３と、スプール１０４とを備えている。ロータ１０３は、リール本体１０２の前部に回転自在に支持されている。スプール１０４は、釣り糸を外周面に巻き取るものであり、ロータ１０３の前部に前後移動自在に配置されている。
【００３４】
リール本体１０２は、リールボディ１０２ａと、リールボディ１０２ａから斜め上前方に延びる竿取付脚部１０２ｂとを有している。リールボディ１０２ａは、内部に各種の機構が収納される図示しない空間を有している。
【００３５】
ロータ１０３は、円筒部１３０と、円筒部１３０の側方に互いに対向して設けられた第１ロータアーム１３１及び第２ロータアーム１３２とを有している。
【００３６】
スプール１０４は、ロータ１０３の第１ロータアーム１３１と第２ロータアーム１３２との間に配置されている。スプール１０４は、スプール軸１１５に回転不能かつ着脱可能に装着されている。スプール軸１１５の後端部には、リアドラグ機構１９０が装着されている。
【００３７】
リールボディ１０２ａ及び竿取付脚部１０２ｂの後部には、図５に示すように、他の部分より凹んだ凹陥部１５０が形成されている。リールボディ１０２ａ下部の凹陥部１５０には、一部が切り欠かれた凹状の左右２箇所の第１係止部１５１が形成されている。竿取付脚部１０２ｂのリールボディ１０２ａとの連設部分の凹陥部１５０には、前後に貫通する第２孔部１５２が形成されている。リールボディ１０２ａと下部の凹陥部１５０には、スプール軸１１５が挿通可能に前後に貫通する第４孔部１５３が形成されている。凹陥部１５０全体には、後方から第１カバー部材１７０が装着されており、第１カバー部材１７０の上部には、後方から第２カバー部材１８０が着脱可能に装着されている。第１カバー部材１７０後端下部には、第４孔部１５３と連通する第５孔部１７５が形成されており、第４孔部１５３及び第５孔部１７５に挿通されたスプール軸１１５にリアドラグ機構１９０が装着されている。
【００３８】
リアドラグ機構１９０は、図５に示すように、スプール軸１１５の後端部に回転不能、かつ軸方向移動自在に連結されており、スプール軸１１５を介してスプール１０４の糸繰り出し方向の回転を制動するものである。リアドラグ機構１９０は、ドラグ力を手で調整するための筒状のつまみ部１９１を有している。
【００３９】
第１カバー部材１７０及び第２カバー部材１８０は、金属製又は合成樹脂製の部材であって、図５及び図６に示すように、皿状に湾曲して形成され、上部に開口を有するカバー部材である。第２カバー部材１８０の外形は、第１カバー部材１７０の外形より小さくなるように形成されている。また、第２カバー部材１８０は、第１カバー部材１７０の第５孔部１７５より上部に配置されている。
【００４０】
第１カバー部材１７０は、図５及び図６に示すように、後部上方に形成された第１孔部１７４と、後部下方の前側２箇所に突出して形成された第１被係止部１７１と、第１孔部１７４の上部内側２箇所に突出して形成された第２被係止部１７２と、第１孔部１７４の下部内側２箇所に凹んで形成された第３係止部１７３とを有している。第１被係止部１７１は、第１係止部１５１に前方から係止されている。第１孔部１７４は、第２孔部１５２と連通するように設けられている。
【００４１】
第２カバー部材１８０は、図５及び図６に示すように、後部上方に形成された第３孔部１８４と、第３孔部１８４上部の周縁部前方側に突出して形成されたボス部１８１と、ボス部１８１の近傍の第３孔部１８４の上部外側２箇所に凹んで形成された第２係止部１８２と、ボス部１８１と離反した第３孔部１８４下部外側２箇所に突出して形成された第３被係止部１８３とを有している。ボス部１８１は、竿取付脚部１０２ｂのリールボディ１０２ａとの連設部分に設けられ、前方から第２孔部１５２及び第１孔部１７４を貫通して装着されるねじ部材１６０が取り付けられる。ボス部１８１は、前方側に開口する図示しない雌ねじが形成されており、ねじ部材１６０の図示しない雄ねじが螺合可能である。第２係止部１８２は、第２被係止部１７２を後方から係止している。第３被係止部１８３は、第３係止部１７３に前方から係止されている。第３孔部１８４は、第２孔部１５２と連通するように形成されている。
【００４２】
このような第１カバー部材１７０及び第２カバー部材１８０を装着するには、まず、リールボディ１０２ａ下部の第１係止部１５１に第１カバー部材１７０の第１被係止部１７１を前方から係止する。次に、第１カバー部材１７０の第３係止部１７３に第２カバー部材１８０の第３被係止部１８３を前方から係止し、第２カバー部材１８０上部の第２係止部１８２に第１カバー部材１７０の第２被係止部１７２を後方から係止する。この状態で、第２カバー部材１８０上部のボス部１８１を竿取付脚部１０２ｂのリールボディ１０２ａとの連設部分に前方からねじ部材１６０を装着して固定する。ここでは、第２係止部１８２及び第２被係止部１７２により第１カバー部材１７０を浮き止めし、第３係止部１７３及び第３被係止部１８３により第２カバー部材１８０を浮き止めし、第２カバー部材１８０のボス部１８１により第１カバー部材１７０及び第２カバー部材１８０を固定している。このように、第２カバー部材１８０にボス部１８１を設けることにより、第１カバー部材１７０及び第２カバー部材１８０を浮き止めしながら、第１カバー部材１７０及び第２カバー部材１８０を固定することができる。そして、第１カバー部材１７０及び第２カバー部材１８０を装着した後に、前述のリアドラグ機構１９０を装着する。ここでは、リアドラグ機構１９０を有するスピニングリールにおいても、第１カバー部材１７０にボス部を設ける必要がなくなるので、安価な構成で第１カバー部材１７０及び第２カバー部材１８０を装着することができる。
【００４３】
（ｂ）  前記実施形態では、第２カバー部材８０には、貫通する第３孔部８４が形成されていたが、図４に示すように、第２カバー部材８０に孔部を形成しない構成にしてもよい。また、第３孔部８４は、貫通孔に限定されず、貫通しない凹部であってもよい。一方、前記実施形態では、竿取付脚部２ｂには、第２孔部５２が形成されていたが、竿取付脚部２ｂに孔部を形成しない構成にしてもよい。
【００４４】
（ｃ）  前記実施形態では、蓋部材２ｄは竿取付脚部２ｂと一体成形されていたが、図７に示すように、本体部材２ｃと竿取付脚部２ｂとを一体成形してもよい。
【００４５】
（ｄ）  前記実施形態では、ボス部８１にねじ部材６０を装着して第１カバー部材７０及び第２カバー部材８０を固定していたが、第１カバー部材７０及び第２カバー部材８０の固定方法はねじ止めに限定されるものではない。
【００４６】
（ｅ）  前記実施形態では、第１カバー部材７０及び第２カバー部材８０は、皿状に湾曲して形成されていたが、これらの形状に限定されず、他の形状であってもよい。また、凹陥部５０の形状も第１カバー部材７０に合わせて任意の形状に形成できる。また、凹陥部５０を形成しない構成にしてもよい。
【００４７】
（ｆ）  前記実施形態では、第１カバー部材７０及び第２カバー部材８０は、金属製又は合成樹脂製の部材であったが、第１カバー部材７０と第２カバー部材８０とを異なる材質の部材で形成してもよい。たとえば、第１カバー部材７０を硬質部材で形成し、第２カバー部材８０を印字性の良好な材質で形成することにより、第１カバー部材７０によりリールの強度を高く維持しながら、銘版としての第２カバー部材８０の印字性を向上できる。なお、第１カバー部材７０の表面を硬質な表面処理を行い、第２カバー部材８０の表面を印字性の良好な表面処理を行うようにしてもよい。
【図面の簡単な説明】
【００４８】
【図１】本発明の一実施形態によるスピニングリールの側面図。
【図２】前記スピニングリールの背面図。
【図３】第１カバー部材及び第２カバー部材の斜視図。
【図４】他の実施形態の図３に相当する図。
【図５】他の実施形態の図１に相当する図。
【図６】他の実施形態の図３に相当する図。
【図７】他の実施形態の図２に相当する図。
【符号の説明】
【００４９】
２  リール本体
２ａ  リールボディ
２ｂ  竿取付脚部
２ｃ  本体部材
２ｄ  蓋部材
４、１０４  スプール
５０、１５０  凹陥部
５１、１５１  第１係止部
５２、１５２  第２孔部
６０、１６０  ねじ部材
７０、１７０  第１カバー部材
７１、１７１  第１被係止部
７２、１７２  第２被係止部
７３、１７３  第３係止部
７４、１７４  第１孔部
８０、１８０  第２カバー部材
８１、１８１  ボス部
８２、１８２  第２係止部
８３、１８３  第３被係止部
８４、１８４  第３孔部
１１５  スプール軸
１５３  第４孔部
１７５  第５孔部
１９０  リアドラグ機構
１９１  つまみ部
【図１】
2005229924.tif 000003
【図２】
2005229924.tif 000004
【図３】
2005229924.tif 000005
【図４】
2005229924.tif 000006
【図５】
2005229924.tif 000007
【図６】
2005229924.tif 000008
【図７】
2005229924.tif 000009